(57)【要約】  【課題】連結金具の施工性及び耐荷重性能を向上させることを課題とする。  【解決手段】連結金具半体２０，２０は、一端側に第１取付半体部２１を有し、且つ、他端側に該第１取付半体部２１に対し９０度回転して形成された第２取付半体部２２を有して成る。前記第１取付半体部２１と前記第２取付半体部２２には夫々、取付孔１７，１８が開穿されている。また、一対の連結金具半体２０，２０同士は互いに対称な形状を有するとともに、各取付孔１７，１８は、前記碍子装置１１または前記線条から延出する接続部１２ａ図示しないクランプに形成された各取付孔に対応して設けられている。一対の連結金具半体２０，２０を互いに向かい合わせて締結することにより、一端側の第１取付半体部２１により前記接続部１２ａの両側面を挟持するクレビス形取付部１５が形成され、且つ、他端側の第２取付半体部２２によりＩ形接続部１６が形成される。【選択図】図１
2013153573.tif 000002
【特許請求の範囲】
【請求項１】
碍子装置と配電線の線条を引き留めるクランプとを連結する配電線用連結金具において、
一端側に第１取付半体部を有し、他端側に該第１取付半体部に対し９０度回転して形成された第２取付半体部を有して成り、且つ、前記第１取付半体部と前記第２取付半体部に夫々取付孔が開穿された連結金具半体を一対備え、
該一対の連結金具半体同士は、互いに対称な形状を有するとともに、前記第１取付半体部側の取付孔及び前記第２取付半体部側の取付孔は夫々、前記碍子装置側の接続部及び前記線条側の接続部に夫々形成された各取付孔に対応して設けられ、
該一対の連結金具半体を互いに向かい合わせて締結することによって、前記一端側の第１取付半体部により前記碍子装置側の接続部の両側面を密着して挟持するクレビス形取付部が形成され、且つ、前記他端側の第２取付半体部によりＩ形接続部が形成されるように構成したことを特徴とする配電線用連結金具。
【請求項２】
上記クレビス形取付部で上記碍子装置側の接続部を挟持し、且つ、上記一方の連結金具半体の外側から各取付孔にボルトを共通に挿入すると共に、他方の連結金具半体の外側に突出した前記ボルトの先端側ネジ部にナットを螺合して締め付けたことを特徴とする請求項１記載の配電線用連結金具。
【発明の詳細な説明】
【技術分野】
【０００１】
本発明は配電線用連結金具に関するものであり、特に、電柱等に設けられている耐張碍子装置に、配電線の線条を引き留めるクランプを連結する際に用いる配電線用連結金具に関するものである。
【背景技術】
【０００２】
一般に、電柱間に張架される架空線は、引留クランプ等の架空線把持部に把持固定され、更に碍子装置や連結金具等を介して電柱等に引き留められる（例えば、特許文献１参照）。
【０００３】
図７及び図８は、従来の連結金具を使用した架空配電線用の耐張型がいしの一例を示すものである。
【０００４】
同図において、この耐張型がいし５０は、全体として細長い棒状体からなる碍子装置であって、その中央部の大部分は、絶縁材料からなる碍子部材５１により形成されている。この碍子部材５１の一端側の接続部５２ａには、連結金具５３を介して不図示のクランプが接続される。
【０００５】
また、碍子部材５１の他端側の接続部５２ｂには、図示しないステー金具（ストラップ）を介して不図示の腕金が接続される。なお、前記碍子部材５１の一端側の接続部５２ａは、取付孔５４(図７参照)を有するＩ形接続部として機能している。
【０００６】
図９及び図１１は夫々、前記連結金具５３の構成を示す平面図及び側面図である。連結金具５３は金属材料から製作され、クレビス形取付部５５とＩ形接続部５６とを一体に形成して成る。
【０００７】
クレビス形取付部５５は、連結金具５３の一端側部分を構成するものであって、平面視概略コ字形(図９参照)に形成され、一対の挟持片５５ａ,５５ａを有している。一対の挟
持片５５ａ,５５ａは、前記碍子部材５１の一端側の接続部５２ａを挟んで支持するもの
である。また、クレビス形取付部５５の各挟持片５５ａ,５５ａには取付孔５７がそれぞ
れ開穿され、各取付孔５７は、前記接続部５２ａの取付孔５４に対応して設けられている。
【０００８】
一方、前記Ｉ形接続部５６は、連結金具５３の他端側部分を構成するものであって、側面視概略Ｉ字形(図１０参照)に形成され、図示しないクランプと接続されるものである。また、前記Ｉ形接続部５６には取付孔５８が開穿され、該取付孔５８は、前記クランプ側の取付孔（図示せず）に対応して設けられている。
【０００９】
さらに、Ｉ形接続部５６は、前記クレビス形取付部５５に対し９０度回転した状態で配設されている。従って、クレビス形取付部５５の各挟持片５５ａ,５５ａ側の取付孔５７
と、前記Ｉ形接続部５６側の取付孔５８とは、それらの向きが互いに９０度だけ異なっている。
【００１０】
そして、前記連結金具５３を碍子部材５１に取り付ける場合は、まず、碍子部材５１側の接続部５２ａを前記クレビス形取付部５５側の一対の挟持片５５ａ,５５ａの間に差し
込む。次いで、片方の前記挟持片５５ａの外側から、コッターピン５９を前記取付孔５７、取付孔５４及び取付孔５７の順に差し込むことにより、図７に示すように、該コッターピン５９の先端部を、他方の前記挟持片５５ａの外側に突出させる。
【００１１】
そして、コッターピン５９の先端部側に設けた取付孔６０に割りピン６１を嵌入させて、コッターピン５９の抜け止めを講じる。これにより、前記碍子部材５１と連結金具５３は相互に回動可能な状態に組み付けられる。
【先行技術文献】
【特許文献】
【００１２】
【特許文献１】特開平９−１９１５３５号公報。
【発明の概要】
【発明が解決しようとする課題】
【００１３】
上記連結金具５３のクレビス形取付部５５は、一対の挟持部５５ａ,５５ａを一体成形
してコ字状に形成され、また、一対の挟持片５５ａ,５５ａと前記碍子部材５１の接続部
５２ａとは、前記コッターピン５９によって連結されていた。
【００１４】
そのため、前記接続部５２ａが差し込まれる一対の挟持片５５ａ,５５ａの間には、該
接続部５２ａを挿入する際の作業を容易にするために、一対の挟持片５５ａ,５５ａの間
の寸法は、接続部５２ａの厚さ寸法よりもある程度大きく設定しておく必要がある。
【００１５】
しかしながら、上記のように構成すると、一対の挟持片５５ａ,５５ａの間に前記碍子
部材５１側の接続部５２ａを差し込んでコッターピン５９で連結したときに、コッターピン５９の軸方向において、一対の挟持片５５ａ,５５ａと接続部５２ａとの間に遊び(隙間)が生じるため、碍子部材５１に対して連結金具５３の取付位置が安定しなくなる。従って、施工時に、前記連結金具５３の取付位置が安定せずに、施工性が悪いという問題点があった。
【００１６】
なお、上記の問題を解決するには、一対の挟持片５５ａ,５５ａの間に差し込まれた上
記接続部を締め付ける構造とすることが考えられる。しかし、この場合は、例えば別形状の「押さえ金具」等の部材を別途製作する必要があるため、製作効率の低下を招き生産性の観点から採用し難い。
【００１７】
また、上記「押さえ金具」等を使用したときは、碍子部材５１の接続部５２ａに連結金具５３が１個だけ取り付けられている。その結果、碍子部材５１の長手方向の引っ張り荷重が連結金具５３に作用した場合、１個の連結金具５３の根元部のみに応力が集中するため、連結金具５３の耐荷重性能が安定しないという問題が生じる。
【００１８】
尚、耐荷重性能が安定しない状態について補足すると、接続部５２ａは上記「押さえ金具」等により、片側の挟持片５５ａに押さえ付けられ、片側の挟持片５５ａと接続部５２ａの隙間はなくなるが、逆側の挟持片５５ａと接続部５２ａの隙間は大きくなる。依って、この状態で連結金具５３を引っ張ると、片側の挟持片５５ａと逆側の挟持片５５ａに不均等な荷重がかかり、いずれかが先に破断すると云う状態が生じうる。
【００１９】
そこで、本発明は上記の事情に鑑みてなされたものであり、その目的（課題）は、配電線用連結金具の施工性及び耐荷重性能を向上させることである。
【課題を解決するための手段】
【００２０】
本発明は上記目的を達成するために提案されたものであり、請求項１記載の発明は、碍子装置と配電線の線条を引き留めるクランプとを連結する配電線用連結金具において、一端側に第１取付半体部を有し、他端側に該第１取付半体部に対し９０度回転して形成され
た第２取付半体部を有して成る。前記第１取付半体部と前記第２取付半体部に夫々取付孔が開穿された連結金具半体を一対備え、該一対の連結金具半体同士は、互いに対称な形状を有するとともに、前記第１取付半体部側の取付孔及び前記第２取付半体部側の取付孔は夫々、前記碍子装置側の接続部及び前記線条側の接続部に夫々形成された各取付孔に対応して設けられる。また、一対の連結金具半体を互いに向かい合わせて締結することによって、前記一端側の第１取付半体部により前記碍子装置側の接続部の両側面を密着して挟持するクレビス形取付部が形成される。更に、前記他端側の第２取付半体部によりＩ形接続部が形成されるように構成した。
【００２１】
この構成によれば、同一形状の連結金具半体を２つ用意し、２つの連結金具半体の第１取付半体部同士の間に碍子装置側の接続部を挟持して、該連結金具半体を互いに向かい合わせて配置すると、２つの第１取付半体部により、前記接続部を挟んでなるクレビス形取付部が形成される。
【００２２】
すなわち、この連結金具のクレビス形取付部は、一対の連結金具半体を互いに向かい合わせることにより形成され、また、各連結金具半体同士は互いに近接する方向に移動できるように配設される。
【００２３】
従って、第１取付半体部同士を締結部材で締め付けると、一対の連結金具半体が互いに近接する方向に移動し、各第１取付半体部の内面が上記接続部の側面に密着した状態に締結固定される。
【００２４】
また、碍子装置の接続部に２個の連結金具を取り付けるので、碍子装置の長手方向に引っ張り荷重が作用した場合、その引っ張り荷重の応力は、２個の連結金具半体に分散した状態になり、以って、従来構造に比し高い耐荷重性能が得られる。
【００２５】
請求項２記載の発明は、請求項１記載の構成において、上記クレビス形取付部で上記碍子装置側の接続部を挟持し、且つ、上記一方の連結金具半体の外側から各取付孔にボルトを共通に挿入すると共に、他方の連結金具半体の外側に突出した前記ボルトの先端側ネジ部にナットを螺合して締め付けてなる配電線用連結金具を提供する。
【００２６】
この構成によれば、一方の連結金具半体の外側から各取付孔に１本のボルトを共通に挿入して、他方の連結金具半体の外側に前記ボルトの先端側ネジ部を突出させる。ついで、前記ボルトの先端側ネジ部にナットを螺合して締め付けることにより、碍子装置の接続部の両側面と第１取付半体部の内側面とが確実に密着して締結固定される。
【発明の効果】
【００２７】
請求項１記載の発明は、前記碍子装置の接続部と第１取付半体部とは、隙間なく密着して締結固定できるので、施工時に、前記連結金具の取付位置が安定して、施工性が著しく向上する。
【００２８】
また、引っ張り荷重の応力は２個の連結金具半体に分散して、応力の集中が緩和されるので、構造が簡単でありながら、連結金具の耐荷重性能が従来構造に比し著しく向上する。
【００２９】
更に、一対の連結金具半体は互いに対称な形状を有するので、連結金具半体を安価に量産でき、以って、前述した別形状の「押さえ金具」等を成形する構造に比べて、連結金具の生産性が向上する経済的なメリットを有する。
【００３０】
請求項２記載の発明は、碍子装置側の接続部と２個の連結金具半体とは、１本のボルト
で締め付けのみで密着して連結できるので、請求項１記載の発明の効果に加えて、当該締結作業を一層容易迅速かつ確実に行うことができる。
【図面の簡単な説明】
【００３１】
【図１】本発明の実施形態に係る連結金具を使用した架空配電線用耐張型がいしの平面図。
【図２】同上架空配電線用耐張型がいしの側面。
【図３】図１及び図２に示す連結金具を形成する連結金具半体を示す斜視図。
【図４】図３に示す同上連結金具半体の平面図。
【図５】図４のＡ−Ａ矢視図。
【図６】同上連結金具半体を使用して連結金具を形成する手順を説明する図。
【図７】従来の連結金具を使用した架空配電線用耐張型がいしの平面図。
【図８】図７に示す同上架空配電線用耐張型がいしの側面図。
【図９】図７及び図８に示す連結金具の平面図。
【図１０】図９に示す同上連結金具の側面図。
【図１１】図１０のＢ−Ｂ矢視図。
【発明を実施するための最良の形態】
【００３２】
本発明は、配電線用連結金具の生産性を高めつつ施工性及び耐荷重性能を向上させるという目的を達成するために、碍子装置と配電線の線条を引き留めるクランプとを連結する配電線用連結金具において、一端側に第１取付半体部を有し、他端側に該第１取付半体部に対し９０度回転して形成された第２取付半体部を有して成り、且つ、前記第１取付半体部と前記第２取付半体部に夫々取付孔が開穿された連結金具半体を一対備え、該一対の連結金具半体同士は、互いに対称な形状を有するとともに、前記第１取付半体部側の取付孔及び前記第２取付半体部側の取付孔は夫々、前記碍子装置側の接続部及び前記線条側の接続部に夫々形成された各取付孔に対応して設けられ、該一対の連結金具半体を互いに向かい合わせて締結することによって、前記一端側の第１取付半体部により前記碍子装置側の接続部の両側面を密着して挟持するクレビス形取付部が形成され、且つ、前記他端側の第２取付半体部によりＩ形接続部が形成されるように構成したことにより実現した。
【００３３】
以下、本発明の実施形態による連結金具を使用した架空配電線用耐張型がいしの実施例について詳細に説明する。
【実施例】
【００３４】
図１及び図２は本発明に係る連結金具を使用した架空配電線用耐張型がいしを示すもので、図１はその平面図、図２はその側面図である。
【００３５】
図１及び図２において、この耐張型がいし１０は、全体として細長い棒状体から構成されている。耐張型がいし１０の中央部分は、主に絶縁材料からなる碍子部材１１で構成されている。また、該碍子部材１１の一端側の接続部１２ａには、連結金具１３を介してクランプ（図示せず）が接続される。
【００３６】
また、該碍子部材１１の他端側の接続部１２ｂには、図示しないステー金具（ストラップ）を介して不図示の腕金が接続される。なお、前記碍子部材１１の接続部１２ａは、取付孔１４(図１参照)を有するＩ形接続部として機能する。
【００３７】
前記連結金具１３は、その一端側に平面視概略コ字形(図１参照)に形成してなるクレビス形取付部１５を有し、クレビス形取付部１５は、前記碍子部材１１の接続部１２ａに連結される。さらに、前記クレビス形取付部１５には取付孔１７が開穿され、この取付孔１７は、前記接続部１２ａ側の取付孔１４に対応して設けられている。
【００３８】
また、連結金具１３の他端側には、側面視概略Ｉ字形(図２参照)に形成してなるＩ形接続部１６が一体に設けられ、Ｉ形接続部１６は、図示しないクランプと接続される。さらに、前記Ｉ形接続部１６には取付孔１８が開穿され、該取付孔１８は当該クランプ側の図示しない取付孔と対応して設けられている。
【００３９】
更に詳述すると、前記連結金具１３は、同一形状を有する一対の連結金具半体２０,２０を備えている。一対の連結金具半体２０,２０は、その向きが互いに対向するような状態に配設して締結することにより、前記連結金具１３が形成されている。
【００４０】
前記連結金具半体２０は金属製であり、図３〜図５に示すように、連結金具半体２０の一端側には、板状の第１取付半体部２１が設けられている。また、連結金具半体２０の他端側には、板状の第２取付半体部２２が設けられている。第２取付半体部２２は、第１取付半体部２１に対し、９０度の角度だけ立体的に回転した箇所に形成されている。即ち、第２取付半体部２２と第１取付半体部２１は、互いに９０度の角度を有するように構成されている。
【００４１】
そして、第１取付半体部２１と第２取付半体部２２とは、互いに一体に形成されている。なお、第２取付半体部２２は第１取付半体２１の後端側に配置されている。また、前記第１取付半体部２１には前記取付孔１７が穿設され、前記第２取付半体部２２には前記取付孔１８が穿設されている。
【００４２】
そして、前記碍子部材１１に連結金具１３を取り付ける場合は、まず、一対の連結金具半体２０,２０を用意する。そして、一対の連結金具半体２０,２０を、図６(ａ)に示すように、第２取付半体部２２,２２の上下面が反対側になるように、第１取付半体部２１,２１を互いに向かい合わせ、更に、図６(ｂ)に示すように、前記第２取付半体部２２,２２を重ねて互いに組み合わせる。
【００４３】
これにより、前記一対の第１取付半体部２１,２１が互いに平行に対向配置されて、コ
字状のクレビス形取付部１５が、一対の連結金具半体２０,２０の一端側に形成され、且
つ、一対の連結金具半体２０,２０の他端側に前記Ｉ形接続部１６が形成される。
【００４４】
また、この状態で一対の第１取付半体部２１,２１の間、すなわち、前記クレビス形取
付部１５内に前記碍子部材１１の接続部１２ａを差し込んでセットする。次いで、片方の第１取付半体部２１の外側から、ボルト２３を前記取付孔１７、前記取付孔１４、前記取付孔１７の順に差し込み、他方の第１取付半体部２１から外側に該ボルト２３の先端側ネジ部を突出させる。
【００４５】
ついで、突出したボルト２３の先端側ネジ部にナット２４を螺合させ、該ボルト２３と該ナット２４により、前記接続部１２ａを第１取付半体部２１,２１間に挟んだ状態で締
め付ける。これにより、図１及び図２に示すように、碍子部材１１の接続部１２ａに前記連結金具１３が取り付けられる。
【００４６】
従って、一対の連結金具半体２０,２０を各々向かい合わせて、前記クレビス形取付部
１５とＩ形接続部１６を形成する連結金具１３においては、前記連結金具半体２０,２０
の成形時に、コ字形のクレビス形取付部１５を一体に形成しなくてもよい。
叙上の如く本発明によると、同一形状の連結金具半体を２つ用意し、２つの連結金具半体の第１取付半体部同士の間に、碍子部材側の接続部を挟持できるように、該連結金具半体を互いに向かい合わせて配置すると、２つの第１取付半体部により、前記接続部を挟んでなるクレビス形取付部が形成される。
【００４７】
そして、２つの第１取付半体部を締結部材で締め付けると、各第１取付半体部の内面が前記接続部の両側面に密着した状態（隙間のない状態）に締結される。即ち、前記接続部と第１取付半体部とは隙間なく密着した状態に締結される。斯くして、施工時に、前記碍子部材に対する連結金具の取付位置が安定するため施工性が著しく向上する。
【００４８】
また、碍子部材側の接続部に２個の連結金具半体を取り付けるので、当該碍子部材の長手方向に大きな引っ張り荷重が作用しても、この引っ張り荷重の応力は、２個の連結金具半体に分散して、応力の集中が緩和される。従って、構造が簡単でありながら、連結金具の耐荷重性能が従来構造に比し大幅に向上する。
【００４９】
更に、一対の連結金具半体は互いに対称な形状を有するので、当該連結金具半体を効率よく量産化でき、以って、連結金具の生産性が向上する。
【００５０】
本実施例によれば、一方の連結金具半体の外側から各取付孔に、１本のボルトを共通に挿入して、他方の連結金具半体の外側から突出した前記ボルトの先端側ネジ部にナットを螺合して締め付ける。これにより、碍子部材の接続部と２個の連結金具半体との密着締結作業を一層容易迅速かつ確実に行うことができる。
【００５１】
なお、本発明は、本発明の精神を逸脱しない限り種々の改変を為すことができ、そして、本発明が該改変されたものに及ぶことは当然である。
【産業上の利用可能性】
【００５２】
本発明は配電線用連結金具以外の連結金具にも応用できる。
【符号の説明】
【００５３】
１０      耐張型がいし
１１      碍子部材（碍子装置）
１２ａ    接続部
１２ｂ    接続部
１３      連結金具
１４      取付孔
１５      クレビス形取付部
１６      Ｉ形接続部
１７      取付孔
１８      取付孔
２０      連結金具半体
２１      第１取付半体部
２２      第２取付半体部
２３      ボルト
２４      ナット
【図８】
2013153573.tif 000003
【図９】
2013153573.tif 000004
【図１０】
2013153573.tif 000005
【図１１】
2013153573.tif 000006
【図１】
2013153573.tif 000007
【図２】
2013153573.tif 000008
【図３】
2013153573.tif 000009
【図４】
2013153573.tif 000010
【図５】
2013153573.tif 000011
【図６】
2013153573.tif 000012
【図７】
2013153573.tif 000013